(57)【要約】【課題】  ワイヤサスペンション方式の光ヘッド装置において、ワイヤ支持穴の外側に接着剤を付着させることなく、ワイヤ支持穴にワイヤを接着固定することのできる構成を提案すること。【解決手段】    光ヘッド装置において、レンズホルダ４の左右両側で、ワイヤ５、６、７が接着固定されるワイヤ支持穴２６、２７、２８の開口縁に拡径部３０を形成する。ワイヤ支持穴２６、２７、２８にワイヤ５、６、７を通した状態で接着剤７０を注入する際には、ディスペンサーのチューブを拡径部３０内に差し込めばよいので、接着剤７０をワイヤ支持穴２６、２７、２８内に確実に注入することができ、外側に接着剤７０が付着しない。【選択図】    図３
2005063620.tif 000002
【特許請求の範囲】
【請求項１】
光源からの出射光を光記録媒体に収束させる対物レンズを保持するレンズホルダと、該レンズホルダの左右両側に配置された複数本のワイヤにより前記レンズホルダを少なくともトラッキング方向およびフォーカシング方向に変位可能に支持するホルダ支持部材とを有する光ヘッド装置において、
前記複数本のワイヤには、前記レンズホルダの左右側面に形成されたワイヤ支持穴を貫通した状態で当該ワイヤ支持穴内に接着剤により固定されたワイヤが含まれており、
当該支持穴の開口縁には、拡径部が形成されていることを特徴とする光ヘッド装置。
【請求項２】
請求項１において、前記ワイヤ支持穴の開口縁には、前記拡径部の周りを囲んで接着剤の流出を防止する流出防止壁が形成されていることを特徴とする光ヘッド装置。
【請求項３】
請求項１または２において、前記複数本のワイヤは、前記レンズホルダの左右両側に各々３本ずつ配置された計６本のワイヤからなり、
片側３本のワイヤのうち、中段に位置するワイヤは、上段のワイヤと下段のワイヤの中間位置から上方あるいは下方に偏った位置に配置されているとともに、当該中段のワイヤに対するワイヤ支持穴と前記上段のワイヤに対するワイヤ支持穴、あるいは前記中段のワイヤに対するワイヤ支持穴と前記下段のワイヤに対するワイヤ支持穴は、前記レンズホルダの側面部に形成された共通のワイヤ支持部に形成されていることを特徴とする光ヘッド装置。
【発明の詳細な説明】
【技術分野】
【０００１】
本発明は、ＣＤやＤＶＤなどの光記録ディスクの再生等に用いられる光ヘッド装置に関するものである。さらに詳しくは、レンズホルダが複数本のワイヤで支持されたワイヤサスペンションタイプの光ヘッド装置に関するものである。
【背景技術】
【０００２】
ＣＤやＤＶＤなどの光記録ディスクの記録、再生等に用いられる光ヘッド装置として、対物レンズを保持したレンズホルダをワイヤによって支持したワイヤサスペンション方式の対物レンズ駆動機構を備えた光ヘッド装置が知られている（例えば、特許文献１参照）。
【０００３】
このようなワイヤサスペンション方式の光ヘッド装置において、ワイヤとレンズホルダとを連結するにあたっては、一般に、図５（ａ）、（ｂ）に示すように、レンズホルダ４Ａの側面に形成されたストレート穴からなるワイヤ支持穴２８Ａにワイヤ７Ａを貫通させるとともに、このワイヤ支持穴２８Ａ内でワイヤ７Ａを接着剤７０により固定する方法が採用される。また、ワイヤ支持穴２８Ａ内に接着剤７０を注入するには、一般的に、ディスペンサーのチューブ（図示せず）の先端部をワイヤ支持穴２８Ａの近くに配置し、ワイヤ７Ａとワイヤ支持穴２８Ａとの隙間に向けてチューブから接着剤７０を吐出する。
【０００４】
ここで、ワイヤ支持穴２８Ａの内径寸法は、レンズホルダ４Ａを確実に位置決めできるように、ワイヤ７Ａの外形寸法よりも僅かに大きいだけである。例えば、ワイヤ７Ａの外形寸法が０．０８〜０．１５ｍｍである場合、ワイヤ支持穴２８Ａの内径寸法は、穴全体にわたって０．３ｍｍである。
【特許文献１】特開平８−３１５３８１号公報
【発明の開示】
【発明が解決しようとする課題】
【０００５】
しかしながら、ディスペンサーのチューブの外形寸法（直径）は、一般に０．５ｍｍ位であるの対して、ワイヤ支持穴２８Ａとワイヤ７Ａとのクリアランスが最大で０．１５ｍｍしかないため、接着剤７０をワイヤ７Ａとワイヤ支持穴２８Ａとの隙間に確実に注入するのはかなり困難な作業である。このため、接着剤７０がワイヤ支持穴２８Ａの外側に付着してしまうという問題点がある。このような状態で接着剤７０を硬化させると、見栄えが悪いだけでなく、ワイヤ７Ａに歪みを発生させるので、ワイヤ７Ａのばね特性に悪影響を及ぼすという問題点がある。また、はみ出した接着剤７０が重力によって下方に垂れてしまうという問題点もある。
【０００６】
以上の問題点に鑑みて、本発明の課題は、ワイヤサスペンション方式の光ヘッド装置において、ワイヤ支持穴の外側に接着剤を付着させることなく、ワイヤ支持穴にワイヤを接着固定することのできる構成を提案することにある。
【課題を解決するための手段】
【０００７】
上記の課題を解決するために、本発明では、光源からの出射光を光記録媒体に収束させる対物レンズを保持するレンズホルダと、該レンズホルダの左右両側に配置された複数本のワイヤにより前記レンズホルダを少なくともトラッキング方向およびフォーカシング方向に変位可能に支持するホルダ支持部材とを有する光ヘッド装置において、前記複数本のワイヤには、前記レンズホルダの左右側面に形成されたワイヤ支持穴を貫通した状態で当該ワイヤ支持穴内に接着剤により固定されたワイヤが含まれており、当該支持穴の開口縁には、拡径部が形成されていることを特徴とする。
【０００８】
本発明において、前記ワイヤ支持穴の開口縁には、前記拡径部の周りを囲んで接着剤の流出を防止する流出防止壁が形成されていることが好ましい。このように構成すると、接着剤の流出をより確実に防止することができる。
【０００９】
本発明において、前記複数本のワイヤは、前記レンズホルダの左右両側に各々３本ずつ配置された計６本のワイヤからなり、片側３本のワイヤのうち、中段に位置するワイヤは、上段のワイヤと下段のワイヤの中間位置から上方あるいは下方に偏った位置に配置されているとともに、当該中段のワイヤに対するワイヤ支持穴と前記上段のワイヤに対するワイヤ支持穴、あるいは前記中段のワイヤに対するワイヤ支持穴と前記下段のワイヤに対するワイヤ支持穴は、前記レンズホルダの側面部に形成された共通のワイヤ支持部に形成されていることが好ましい。このように構成すると、片側３本のワイヤでレンズホルダを支持した場合、レンズホルダをチルト方向に駆動した際に、中段のワイヤが突っ張ってしまうことによるレンズホルダの予期せぬ動きを防止することができる。
【発明の効果】
【００１０】
本発明の光ヘッド装置では、レンズホルダの左右両側で、ワイヤが接着固定されるワイヤ支持穴の開口縁には拡径部が形成されている。このため、ワイヤ支持穴にワイヤを貫通させた状態でワイヤとワイヤ支持穴との隙間内に接着剤を充填する際、例えば、ディスペンサーのチューブを拡径部内に差し込んで接着剤を注入することもでき、このような方法によれば、接着剤がワイヤ支持穴内から外側にはみ出してしまうことがない。従って、レンズホルダの側面が接着剤で汚れてしまうことを防止することができる。また、はみ出した接着剤が他の場所へ垂れてしまうといった弊害も回避することができる。さらに、ワイヤに付着した接着剤が硬化してワイヤに歪みが発生させることを防止することができるので、ワイヤのばね特性に悪影響を及ぼすことがない。
【発明を実施するための最良の形態】
【００１１】
図面を参照して、本発明を適用した光ヘッド装置の一例を説明する。
【００１２】
（全体構成）
図１は、本発明に係る光ヘッド装置の斜視図である。図２は、図１に示す光ヘッド装置の要部の正面図である。図３（ａ）、（ｂ）は、図１に示す光ヘッド装置の要部を拡大して示す斜視図、およびそのＡ−Ａ′断面図である。
【００１３】
図１、図２、および図３（ａ）、（ｂ）に示す光ヘッド装置１は、ＣＤあるいはＤＶＤなどの光記録ディスクに対する情報記録、情報再生を行うものであり、その光学系については図示を省略するが、レーザ光源から出射されたレーザ光をハーフミラーで反射し、対物レンズ２で集光させて光記録ディスクの情報記録面に焦点を結ぶように構成されている。光記録ディスクで反射した光は、対物レンズ２およびハーフミラーを透過して光検出器に入射させ、この光検出器の受光する光信号に基づいて情報再生処理が行われる。また、光検出器からの出力信号に基づいて、対物レンズ駆動機構３を駆動制御して対物レンズ２のトラッキング方向（矢印Ｔｒで示す方向）、フォーカシング方向（矢印Ｆｏで示す方向）、およびチルト方向（矢印Ｔｉで示す方向）の位置や角度をサーボ制御する一方、レーザ光源を駆動制御する。
【００１４】
対物レンズ駆動機構３は、対物レンズ２を保持するレンズホルダ４と、このレンズホルダ４の左右両側で上下３段に配置された６本のワイヤ５、６、７によりレンズホルダ４をトラッキング方向Ｔｒ、フォーカシング方向Ｆｏ、およびチルト方向Ｔｉに変位可能に支持するホルダ支持部材１０と、レンズホルダ４の側に搭載されたフォーカシング用駆動コイル１２、トラッキング用駆動コイル１３、チルト用駆動コイル１４と、これら３種類の駆動コイルとトラッキング用、フォーカシング用、およびチルト用の磁気駆動回路を構成する駆動マグネット５１、５２とを有している。
【００１５】
３種類の駆動コイルのうち、フォーカシング用駆動コイル１２は、レンズホルダ４の胴部に巻回され、このフォーカシング用駆動コイル１２の外面に４個の平面コイルからなるトラッキング用駆動コイル１３が貼付されている。一対のチルト用駆動コイル１４は、フォーカシング用駆動コイル１２の内側でレンズホルダ４に形成された穴内に装着されている。
【００１６】
ホルダ支持部材１０の側には、フォーカシング用駆動コイル１２、およびトラッキング用駆動コイル１３に対向するように一対のトラッキング・フォーカシング用駆動マグネット５１が配置され、フォーカシング用駆動コイル１２、およびチルト用駆動コイル１４に対向するように一対のフォーカシング・チルト用マグネット５２が配置されている。ここで、フォーカシング・チルト用駆動マグネット５２は、レンズホルダ３に対してトラッキング方向Ｔｒの外側でホルダ支持部材１０の底板から起立形成した外ヨーク１７の内面に固着されている。また、トラッキング・フォーカシング用駆動マグネット５１は、フォーカシング・チルト用駆動マグネット５２に対して直交する向きにホルダ支持部材１０の底板から起立成形した一対の外ヨーク１８の内面に固着されている。なお、ホルダ支持部材１０には、外ヨーク１７の内面に対向する位置に内ヨーク１９が起立形成されているとともに、レンズホルダ３の内側で外ヨーク１８の内面に対向する位置には内ヨーク２０が起立形成されている。
【００１７】
ここで、６本のワイヤ５、６、７は各々、フォーカシング用駆動コイル１２、トラッキング用駆動コイル１３、およびチルト用駆動コイル１４への給電ワイヤとして用いられている。このため、ワイヤ５、６、７の基端側は、ホルダ支持部材１０に対して垂直に取り付けた例えばプリント基板２１の配線パターンにハンダ等により各々固定されている。また、ワイヤ５、６、７の先端側は、レンズホルダ４の左右両側に固着されている中継基板８にハンダにより固定されている。
【００１８】
このように構成した対物レンズ駆動機構３において、フォーカシング用駆動コイル１２はトラッキング・フォーカシング用駆動マグネット５１と、フォーカシング・チルト用駆動マグネット５２に対向しており、フォーカシング用駆動コイル１２に通電することにより、レンズホルダ４をフォーカシング方向Ｆｏに駆動することができる。トラッキング用駆動コイル１３は、トラッキング・フォーカシング用駆動マグネット５１に対向しており、トラッキング用駆動コイル１３に通電することにより、レンズホルダ４をトラッキング方向Ｔｒに駆動することができる。チルト用駆動コイル１４は、フォーカシング・チルト用駆動マグネット５２に対向しており、チルト用駆動コイル１４に通電することにより、レンズホルダ４をチルト方向Ｔｉに駆動することができる。
【００１９】
（ワイヤによるレンズホルダの支持構造）
図１、図２、および図３（ａ）、（ｂ）に示すように、本形態の対物レンズ駆動機構３において、レンズホルダ４を支持する６本のワイヤ５、６、７のうち、上段のワイヤ５、中段のワイヤ６は、レンズホルダ４の左右のいずれの側においても、レンズホルダ４の左右の各側面に形成された共通のワイヤ支持部２３のワイヤ支持穴２６、２７内を貫通している。また、下段のワイヤ６は、レンズホルダ４の左右のいずれの側においても、レンズホルダ３の側面に形成された下段側のワイヤ支持部２４のワイヤ支持穴２８内を貫通している。このため、６本のワイヤ５、６、７は、左右いずれにおいても、中段に位置するワイヤ６が、上段のワイヤ５と下段のワイヤ７の中間位置から上方に偏った位置に配置され、上段のワイヤ５と中段のワイヤ６とは近接している。
【００２０】
ここで、ワイヤ支持穴２６、２７、２８の内径寸法は、レンズホルダ４の位置決めを行いやすくするために、ワイヤ５、６、７の外形寸法よりも僅かに大きいだけである。例えば、ワイヤ５、６、７の外形寸法が０．０８〜０．１５ｍｍであるのに対して、支持２６、２７、２８の内径寸法は０．３ｍｍである。なお、上段のワイヤ４としては、下段のワイヤ６よりも線径がやや細いものが用いられ、中段のワイヤ５としては、上段のワイヤ４よりもさらに線径の細いものが用いられている。
【００２１】
本形態では、６本のワイヤ５、６、７をレンズホルダ４と連結するにあたって、６本のワイヤ５、６、７を各々、ワイヤ支持穴２６、２７、２８に貫通させた状態でワイヤ５、６、７とワイヤ支持穴２６、２７、２８との隙間内に紫外線硬化型接着剤等の接着剤７０を注入、充填した後、硬化させる。
【００２２】
ここで、ワイヤ支持穴２６、２７、２８の接着剤７０が注入される側（図３（ａ）、（ｂ）に向かって右側）の開口縁には、外側に向けて内径を拡大させるテーパ面からなる拡径部３０が形成されている。この拡径部３０の大きさは、ディスペンサーのチューブ（図示せず）を差し込むことができるよう、チューブの直径よりも大径となるように設定されている。
【００２３】
このため、６本のワイヤ５、６、７を各々、ワイヤ支持穴２６、２７、２８に貫通させた状態でワイヤ５、６、７とワイヤ支持穴２６、２７、２８との隙間内に接着剤７０を注入、充填する際、外形寸法（直径）が０．５ｍｍのディスペンサーのチューブを拡径部３０に差し込むことができ、この状態で、ワイヤ５、６、７とワイヤ支持穴２６、２７、２８との隙間内に接着剤７０を注入することができる。
【００２４】
（本形態の効果）
以上説明したように、本発明の光ヘッド装置１では、レンズホルダ４の左右両側で、ワイヤ５、６、７が接着固定されるワイヤ支持穴２６、２７、２８の開口縁には、外側に向けて拡径する拡径部３０が形成されている。また、この拡径部３０の大きさは、ディスペンサーのチューブの先端を差し込める大きさに設定されている。このため、ワイヤ支持穴２６、２７、２８と、ワイヤ５、６、７とのクリアランスが最大で０．１５ｍｍであっても、外形寸法が０．５ｍｍのディスペンサーのチューブを拡径部３０内に差し込んだ状態でワイヤ支持穴２６、２７、２８内に接着剤７０を注入、充填することができる。従って、ワイヤ支持穴２６、２７、２８とワイヤ５、６、７とのクリアランスを拡大しなくても、ワイヤ５、６、７とワイヤ支持穴２６、２７、２８との隙間に接着剤７０をスムーズに注入することができ、接着剤７０がワイヤ支持穴２６、２７、２８からはみ出してしまうことがない。
【００２５】
従って、接着剤７０がワイヤ支持穴２６、２７、２８の周辺を汚すことがなく、接着剤７０が下方に垂れることもない。それ故、接着剤７０の付着による見栄えの低下を防止することができ、かつ、接着剤７０が可動部分に付着することもない。また、ワイヤ５、６、７に付着した接着剤７０が硬化してワイヤ５、６、７に歪みを発生させることがないので、ワイヤ５、６、７のばね特性に悪影響を及ぼすことがない。
【００２６】
また、拡径部３０はテーパ状に形成されているので、拡径部３０から注入した接着剤７０をスムーズにワイヤ５、６、７とワイヤ支持穴２６、２７、２８との隙間内に流し込むことができる。
【００２７】
さらに、本形態では、ワイヤ支持部２３、２４の開口縁に拡径部３０を追加するだけでよいので、大幅な設計変更を行う必要がないという利点がある。
【００２８】
さらにまた、レンズホルダ４を支持する６本のワイヤ５、６、７は、左右いずれにおいても、中段に位置するワイヤ６は、上段のワイヤ５と下段のワイヤ７の中間位置から上方に偏った位置に配置され、上段のワイヤ５を支持する上段側ワイヤ支持部２３によって支持されているので、上段のワイヤ５と中段のワイヤ６とは近接している。このため、チルト用駆動コイル１４に通電してチルト角を制御するときに、レンズホルダ４において、中段に位置するワイヤ６の突っ張りなどに起因する予期せぬ動きが起こらないので、正確なチルト制御が可能となる。
【００２９】
（その他の実施の形態）
上記形態では、ワイヤ支持部２３、２４においてワイヤ支持穴２６、２７、２８が開口する端面が平坦に形成されていたが、図４（ａ）、（ｂ）に示すように、ワイヤ支持部２３、２４においてワイヤ支持穴２６、２７、２８が開口する部分を一段高くし、ワイヤ支持穴２６、２７、２８の開口縁の拡径部３０の周りを囲むように環状の流出防止壁４０を形成してもよい。このように構成すると、接着剤７０の流出をより確実に防止することができる。
【００３０】
また、上記形態では、上段、中段、下段のワイヤ支持穴２６、２７、２８の全てにおいて開口縁に拡径部３０を形成したが、上段、下段のワイヤ支持穴２６、２８のみに拡径部３０を形成してもよい。
【００３１】
さらに、上記形態では、中段のワイヤ６を上段のワイヤ５に近接させたが、中段のワイヤ６を下段のワイヤ７に近接させてもよい。
【００３２】
さらにまた、上記形態では、レンズホルダ４を６本のワイヤ５、６、７で支持したが、計４本のワイヤ５、７でレンズホルダ４を支持する光ヘッド装置に本発明を適用してもよい。
【産業上の利用可能性】
【００３３】
以上説明したように、本発明の光ヘッド装置では、ワイヤ支持穴にワイヤを貫通させた状態でワイヤとワイヤ支持穴との隙間内に接着剤を充填する際、接着剤がワイヤ支持穴内から外側にはみ出してしまうことがないように接着剤を注入することが可能となる。従って、レンズホルダの側面が接着剤で汚れてしまうことを防止することができる。また、はみ出した接着剤が他の場所へ垂れてしまうといった弊害も回避することができる。さらに、ワイヤに付着した接着剤が硬化してワイヤに歪みが発生させることを防止することができるので、ワイヤのばね特性に悪影響を及ぼすことがない。
【図面の簡単な説明】
【００３４】
【図１】本発明に係る光ヘッド装置の斜視図である。
【図２】図１に示す光ヘッド装置の要部の正面図である。
【図３】（ａ）、（ｂ）は、図１に示す光ヘッド装置の要部を拡大して示す斜視図、およびそのＡ−Ａ′断面図である。
【図４】（ａ）、（ｂ）は、本発明の別の実施に形態に係る光ヘッド装置の要部を拡大して示す斜視図、およびそのＢ−Ｂ′断面図である。
【図５】（ａ）、（ｂ）は、従来の光ヘッド装置におけるワイヤの固定部分を拡大して示す斜視図、およびワイヤ支持穴の断面図である。
【符号の説明】
【００３５】
１  光ヘッド装置
２  対物レンズ
３  対物レンズ駆動機構
４  レンズホルダ
５  上段のワイヤ
６  中段のワイヤ
７  下段のワイヤ
８  中継基板
１０  ホルダ支持部材
１２  フォーカシング用駆動コイル
１３  トラッキング用駆動コイル
１４  チルト用駆動コイル
２３  共通のワイヤ支持部
２４  下段側のワイヤ支持部
２６、２７、２８  ワイヤ支持穴
３０  拡径部
４０  流出防止壁
５１  トラッキング・フォーカシング用駆動マグネット
５２  フォーカシング・チルト用駆動マグネット
７０  接着剤
【図１】
2005063620.tif 000003
【図２】
2005063620.tif 000004
【図３】
2005063620.tif 000005
【図４】
2005063620.tif 000006
【図５】
2005063620.tif 000007